【事件の表示】
　特許第５５６７７５１号に関する訂正審判事件について、次のとおり審決する。
【結　論】
　特許第５５６７７５１号の特許請求の範囲を本件審判請求書に添付した訂正特許請求の範囲のとおり訂正することを認める。
【理　由】
第１　手続の経緯
　本件審判に係る特許第５５６７７５１号（以下、「本件特許」という。）は、平成２５年９月１７日の出願である特願２０１３−５５２７８３号（優先権主張平成２４年９月２０日）の一部についての平成２６年２月５日の新たな特許出願により、平成２６年６月２７日に特許権の設定登録がなされたものであり、平成２９年１２月２７日に本件特許についての訂正審判が請求されたものである。
　
第２　請求の趣旨と内容
１　本件審判の請求は、本件特許の特許権全体に対してのものであり、下記の訂正事項１ないし３（以下、「本件訂正」という。）について結論のとおりの審決を求めるものである。
　
（１）訂正事項１
　訂正前の特許請求の範囲の請求項１に「第１のユーザ及び第２のユーザの所持オブジェクトを記憶する記憶手段と、
　前記第１のユーザから前記第２のユーザへオブジェクトの譲渡がなされた場合に、前記第２のユーザについて特典付与条件が成立したか否かを判定する判定手段と、
　前記第２のユーザについて前記特典付与条件が成立したと判定された場合に、前記第２のユーザに所定の特典を付与する特典付与手段と、
　前記第２のユーザについて前記特典付与条件が成立していないと判定された場合に、前記第２のユーザに、前記特典付与条件をどの程度満たしているかを示す情報又は前記所定の特典の内容を通知する通知手段と、
　を有することを特徴とするコンピュータ。」と記載されているのを、
「第１のユーザ及び第２のユーザの所持オブジェクトを記憶する記憶手段と、
　
譲渡するオブジェクトと、譲渡先のユーザと、オブジェクト譲渡要求を送信するためのボタンとを、含む第１の画面を表示させるための第１の画面表示データを前記第１のユーザの端末に送信する手段と、
　前記第１の画面に含まれる前記ボタンが選択されたことに応じて前記第１のユーザの端末から送信されるオブジェクト譲渡要求を受信する手段と、
　前記オブジェクト譲渡要求に応じて
前記第１の画面に含まれていた
前記第１の画面に含まれていた
であって、前記特典付与条件は複数あり、そのうちの少なくとも１つは、前記第２のユーザが譲受したオブジェクトの種類に関するものである、判定手段
　前記第２のユーザについて前記特典付与条件が成立したと判定された場合に、前記第２のユーザに所定の特典を付与する特典付与手段と、
　前記第２のユーザについて前記特典付与条件が成立していないと判定された場合に、前記第２のユーザに、前記特典付与条件
のいずれ
　
前記第１のユーザの端末に表示された、投稿メッセージ入力欄、投稿メッセージ表示欄及び投稿ボタンを含む第２の画面における前記投稿ボタンが選択されたことに応じて前記第１のユーザの端末から送信される、前記投稿メッセージ入力欄に入力されたメッセージを受信する手段と、
　受信したメッセージを前記第２のユーザの端末に送信する手段と、
　を有することを特徴とするコンピュータ。」に訂正する。
　
（２）訂正事項２
　訂正前の特許請求の範囲の請求項４に「第１のユーザ及び第２のユーザの所持オブジェクトを記憶する記憶手段を有するコンピュータが、
　前記第１のユーザから前記第２のユーザへオブジェクトの譲渡がなされた場合に、前記第２のユーザについて特典付与条件が成立したか否かを判定し、
　前記第２のユーザについて前記特典付与条件が成立したと判定された場合に、前記第２のユーザに所定の特典を付与し、
　前記第２のユーザについて前記特典付与条件が成立していないと判定された場合に、前記第２のユーザに、前記特典付与条件をどの程度満たしているかを示す情報又は前記所定の特典の内容を通知する、
　ことを含むことを特徴とする特典付与方法。」と記載されているのを、
「　第１のユーザ及び第２のユーザの所持オブジェクトを記憶する記憶手段を有するコンピュータが、
　
譲渡するオブジェクトと、譲渡先のユーザと、オブジェクト譲渡要求を送信するためのボタンとを、含む第１の画面を表示させるための第１の画面表示データを前記第１のユーザの端末に送信し、
　前記第１の画面に含まれる前記ボタンが選択されたことに応じて前記第１のユーザの端末から送信されるオブジェクト譲渡要求を受信し、
　前記オブジェクト譲渡要求に応じて
前記第１の画面に含まれていた
前記第１の画面に含まれていた
、ここで、前記特典付与条件は複数あり、そのうちの少なくとも１つは、前記第２のユーザが譲受したオブジェクトの種類に関するものであり
　前記第２のユーザについて前記特典付与条件が成立したと判定された場合に、前記第２のユーザに所定の特典を付与し、
　前記第２のユーザについて前記特典付与条件が成立していないと判定された場合に、前記第２のユーザに、前記特典付与条件
のいずれ
し、
　
前記第１のユーザの端末に表示された、投稿メッセージ入力欄、投稿メッセージ表示欄及び投稿ボタンを含む第２の画面における前記投稿ボタンが選択されたことに応じて前記第１のユーザの端末から送信される、前記投稿メッセージ入力欄に入力されたメッセージを受信し、
　受信したメッセージを前記第２のユーザの端末に送信
　ことを含むことを特徴とする特典付与方法。」に訂正する。
　
（３）訂正事項３
　訂正前の特許請求の範囲の請求項５に「第１のユーザ及び第２のユーザの所持オブジェクトを記憶する記憶手段を有するコンピュータにおける制御プログラムであって、前記コンピュータに、
　前記第１のユーザから前記第２のユーザへオブジェクトの譲渡がなされた場合に、前記第２のユーザについて特典付与条件が成立したか否かを判定し、
　前記第２のユーザについて前記特典付与条件が成立したと判定された場合に、前記第２のユーザに所定の特典を付与し、
　前記第２のユーザについて前記特典付与条件が成立していないと判定された場合に、前記第２のユーザに、前記特典付与条件をどの程度満たしているかを示す情報又は前記所定の特典の内容を通知する、
　ことを実行させることを特徴とする制御プログラム。」と記載されているのを、
「第１のユーザ及び第２のユーザの所持オブジェクトを記憶する記憶手段を有するコンピュータにおける制御プログラムであって、前記コンピュ―タに、
　
譲渡するオブジェクトと、譲渡先のユーザと、オブジェクト譲渡要求を送信するためのボタンとを、含む第１の画面を表示させるための第１の画面表示データを前記第１のユーザの端末に送信し、
　前記第１の画面に含まれる前記ボタンが選択されたことに応じて前記第１のユーザの端末から送信されるオブジェクト譲渡要求を受信し、
　前記オブジェクト譲渡要求に応じて
前記第１の画面に含まれていた
前記第１の画面に含まれていた
、ここで、前記特典付与条件は複数あり、そのうちの少なくとも１つは、前記第２のユーザが譲受したオブジェクトの種類に関するものであり
　前記第２のユーザについて前記特典付与条件が成立したと判定された場合に、前記第２のユーザに所定の特典を付与し、
　前記第２のユーザについて前記特典付与条件が成立していないと判定された場合に、前記第２のユーザに、前記特典付与条件
のいずれ
し、
　前記第１のユーザの端末に表示された、投稿メッセージ入力欄、投稿メッセージ表示欄及び投稿ボタンを含む第２の画面における前記投稿ボタンが選択されたことに応じて前記第１のユーザの端末から送信される、前記投稿メッセージ入力欄に入力されたメッセージを受信し、
　受信したメッセージを前記第２のユーザの端末に送信
　ことを実行させることを特徴とする制御プログラム。」に訂正する。
　
２　各訂正事項の整理
　各訂正事項は、それぞれ、下記のとおりに細分することができる。
　
（１）訂正事項１について
　訂正事項１は、請求項１について、下記の訂正事項１アないし訂正事項１オの訂正を行うものである。
　
（訂正事項１ア）
　「特典付与条件が成立したか否かを判定する判定手段」を有する「コンピュータ」について、これが更に、「譲渡するオブジェクトと、譲渡先のユーザと、オブジェクト譲渡要求を送信するためのボタンとを、含む第１の画面を表示させるための第１の画面表示データを前記第１のユーザの端末に送信する手段」及び「前記第１の画面に含まれる前記ボタンが選択されたことに応じて前記第１のユーザの端末から送信されるオブジェクト譲渡要求を受信する手段」を備えるようにする訂正。
　
（訂正事項１イ）
　「特典付与条件が成立したか否か」の「判定」が行われる「前記第１のユーザから前記第２のユーザへオブジェクトの譲渡がなされた場合」について、更に、「第１の画面に含まれていた」「第２のユーザ」と「第１の画面に含まれていた」「オブジェクト」に係る「オブジェクト譲渡要求に応じ」た譲渡がなされた場合であるようにする訂正。
　
（訂正事項１ウ）
　「特典付与条件」について、これが、「複数あり、そのうちの少なくとも１つは、前記第２のユーザが譲受したオブジェクトの種類に関するもの」であるようにする訂正。
　
（訂正事項１エ）
　特典付与条件が成立していないと判定された場合に通知される「前記特典付与条件をどの程度満たしているかを示す情報」について、これが、「特典付与条件
のいずれ
　
（訂正事項１オ）
　「コンピュータ」について、これが更に、「前記第１のユーザの端末に表示された、投稿メッセージ入力欄、投稿メッセージ表示欄及び投稿ボタンを含む第２の画面における前記投稿ボタンが選択されたことに応じて前記第１のユーザの端末から送信される、前記投稿メッセージ入力欄に入力されたメッセージを受信する手段」及び「受信したメッセージを前記第２のユーザの端末に送信する手段」を備えるようにする訂正。
　
（２）訂正事項２について
　訂正事項２は、請求項４について、下記の訂正事項２アないし訂正事項２オの訂正を行うものである。
　
（訂正事項２ア）
　「特典付与条件が成立したか否かを判定」するステップを有する「特典付与方法」について、これが更に、「譲渡するオブジェクトと、譲渡先のユーザと、オブジェクト譲渡要求を送信するためのボタンとを、含む第１の画面を表示させるための第１の画面表示データを前記第１のユーザの端末に送信」するステップ及び「前記第１の画面に含まれる前記ボタンが選択されたことに応じて前記第１のユーザの端末から送信されるオブジェクト譲渡要求を受信」するステップを含むようにする訂正。
　
（訂正事項２イ）
　「特典付与条件が成立したか否か」の「判定」が行われる「前記第１のユーザから前記第２のユーザへオブジェクトの譲渡がなされた場合」について、更に、「第１の画面に含まれていた」「第２のユーザ」と「第１の画面に含まれていた」「オブジェクト」に係る「オブジェクト譲渡要求に応じ」た譲渡がなされた場合であるようにする訂正。
　
（訂正事項２ウ）
　「特典付与条件」について、これが、「複数あり、そのうちの少なくとも１つは、前記第２のユーザが譲受したオブジェクトの種類に関するもの」であるようにする訂正。
　
（訂正事項２エ）
　特典付与条件が成立していないと判定された場合に通知される「前記特典付与条件をどの程度満たしているかを示す情報」について、これが、「特典付与条件
のいずれ
　
（訂正事項２オ）
　「特典付与方法」について、これが更に、「前記第１のユーザの端末に表示された、投稿メッセージ入力欄、投稿メッセージ表示欄及び投稿ボタンを含む第２の画面における前記投稿ボタンが選択されたことに応じて前記第１のユーザの端末から送信される、前記投稿メッセージ入力欄に入力されたメッセージを受信」するステップ及び「受信したメッセージを前記第２のユーザの端末に送信する」ステップを含むようにする訂正。
（３）訂正事項３について
　訂正事項３は、請求項５について、下記の訂正事項３アないし訂正事項３オの訂正を行うものである。
　
（訂正事項３ア）
　コンピュータに「特典付与条件が成立したか否かを判定」するステップを実行させる「制御プログラム」について、これが更に、「譲渡するオブジェクトと、譲渡先のユーザと、オブジェクト譲渡要求を送信するためのボタンとを、含む第１の画面を表示させるための第１の画面表示データを前記第１のユーザの端末に送信」するステップ及び「前記第１の画面に含まれる前記ボタンが選択されたことに応じて前記第１のユーザの端末から送信されるオブジェクト譲渡要求を受信」するステップを実行するようにする訂正。
　
（訂正事項３イ）
　「特典付与条件が成立したか否か」の「判定」が行われる「前記第１のユーザから前記第２のユーザへオブジェクトの譲渡がなされた場合」について、更に、「第１の画面に含まれていた」「第２のユーザ」と「第１の画面に含まれていた」「オブジェクト」に係る「オブジェクト譲渡要求に応じ」た譲渡がなされた場合であるようにする訂正。
　
（訂正事項３ウ）「特典付与条件」について、これが、「複数あり、そのうちの少なくとも１つは、前記第２のユーザが譲受したオブジェクトの種類に関するもの」であるようにする訂正。
　
（訂正事項３エ）
　特典付与条件が成立していないと判定された場合に通知される「前記特典付与条件をどの程度満たしているかを示す情報」について、これが、「特典付与条件
のいずれ
　
（訂正事項３オ）
　コンピュータにステップを実行させる「制御プログラム」について、これが更に、「前記第１のユーザの端末に表示された、投稿メッセージ入力欄、投稿メッセージ表示欄及び投稿ボタンを含む第２の画面における前記投稿ボタンが選択されたことに応じて前記第１のユーザの端末から送信される、前記投稿メッセージ入力欄に入力されたメッセージを受信」するステップ及び「受信したメッセージを前記第２のユーザの端末に送信する」ステップを実行するようにする訂正。
　
第３　当審の判断
１　訂正事項１について
（１）目的要件（特許法第１２６条第１項ただし書）及び新規事項追加禁止要件（同条第５項）について
ア　訂正事項１ア及び訂正事項１イについて
　訂正事項１アは、本件特許の明細書の段落【００５４】、【００５５】及び図５ｃ等に記載された内容に基づいて、発明特定事項を直列的に付加するものであり、また、訂正事項１イは、判定手段における判定の条件について、訂正事項１アの「譲渡するオブジェクトと、譲渡先のユーザと、オブジェクト譲渡要求を送信するためのボタンとを、含む第１の画面」との事項を踏まえて、「前記第１のユーザから前記第２のユーザへオブジェクトの譲渡がなされた場合」が当該第１の画面に含まれる譲渡先のユーザである「第２のユーザ」への第１の画面に含まれていた譲渡されるオブジェクトに係るオブジェクト譲渡要求に応じた譲渡がなされた場合である旨を明確にするものである。
　よって、これらは、特許請求の範囲の減縮及び明瞭でない記載の釈明を目的とするものであり、かつ、本件特許の明細書、特許請求の範囲又は図面に記載した事項の範囲内においてなされたものである。
　
イ　訂正事項１ウ及び訂正事項１エについて
　訂正事項１ウ、本件特許の明細書の段落【００１３】、【０１２１】、【０１２２】等に記載された内容に基づいて、判定手段が判定する「特典付与条件」を、「複数」であり、かつ「そのうちの少なくとも１つ」が「第２のユーザが譲受したオブジェクトの種類に関するもの」であるという具体的に限定されたものとするものであり、また、訂正事項１エは、訂正事項１ウにおける「特典付与条件」が「複数」であるとの事項を踏まえて、「特典付与条件」を「どの程度満たしているか」の通知にあたって、複数の特典付与条件の「いずれ」を「どの程度満たしているか」が通知されることとなる旨を明確にするものである。
　よって、これらは、特許請求の範囲の減縮及び明瞭でない記載の釈明を目的とするものであり、かつ、本件特許の明細書、特許請求の範囲又は図面に記載した事項の範囲内においてなされたものである。
　
ウ　訂正事項１オについて
　訂正事項１オは、本件特許の明細書の段落【００４４】、【００５７】、【０１１４】〜【０１１８】、【０１２０】及び図５ｃ等に記載された内容に基づいて発明特定事項を直列的に付加するものである。
　よって、これらは、特許請求の範囲の減縮を目的とするものであり、かつ、本件特許の明細書、特許請求の範囲又は図面に記載した事項の範囲内においてなされたものである。
　
エ　小括
　してみると、訂正事項１は、目的要件及び新規事項追加禁止要件に適合するものである。
　
（２）実質拡張変更禁止要件（特許法第１２６条第６項）について　
　（１）で上述したとおり、訂正事項１は、「特典付与条件」に係る発明特定事項を具体的に限定するとともに発明特定事項を直列的に付加するものであるから、特許請求の範囲を減縮するものであってこれを実質的に拡張し又は変更するものではない。
　よって、訂正事項１は、実質変更拡張禁止要件に適合するものである。
　
（３）独立特許要件（特許法第１２６条第７項）について
　本件訂正１に関連して、訂正後の発明について独立して特許を受けることができないとすべき事情は見当たらない。
　よって、訂正事項１は、独立特許要件に適合するものである。
　
２　訂正事項２及び訂正事項３について
　本件特許の特許請求の範囲の請求項４及び請求項５にかかる発明は、「コンピュータ」という物の発明である請求項１に係る発明を方法発明及びプログラム発明としたものであって、請求項４に係る訂正事項２、請求項５に係る訂正事項３の実質的な内容は、請求項１に係る訂正事項１と対応する内容のものである。
　よって、訂正事項２及び訂正事項３も、訂正事項１について前記「１」で示したのと同様に、目的要件、新規事項追加禁止要件、実質拡張変更禁止要件及び独立特許要件に適合するものである。
　
第４　むすび
　以上のとおり、本件訂正は、特許法第１２６条第１項ただし書第１号及び第３号に掲げる事項を目的とするものであり、かつ、同条第５項ないし第７項までの規定に適合するものである。
　
　よって、結論のとおり審決する。